(57)【要約】【課題】従来技術では土留め枠を根固めや川底などに設置すると、折角設けた通路が泥土で埋まってしまい、魚の退避場所や保護育成の場所にならない欠点がある。また、管状・円筒状の管体や網体の場合中詰石の詰め方特に下方からの支持の仕方が難しく、詰め方が悪いと安定を失って全体のバランスが悪くなったり、管体や網体を破損してしまうおそれがある。【解決手段】  フトン籠の内部に、該フトン籠を横或いは縦方向に貫通するように円筒或いは楕円筒状のカゴ体を組み込み、該カゴ体は、少なくともその下側面の一部を凹円弧面を有する石材品で支持されており、フトン籠内部の残余空所に石材端材等の詰石材を充填した。【選択図】図１
2005146661.tif 000002
【特許請求の範囲】
【請求項１】
フトン籠の内部に、該フトン籠を横或いは縦方向に貫通するように円筒或いは楕円筒状のカゴ体を組み込み、該カゴ体は、少なくともその下側面の一部を凹円弧面を有する石材品で支持されており、フトン籠内部の残余空所に石材端材等の詰石材を充填したことを特徴とする魚巣フトン籠。
【請求項２】
カゴ体は、フトン籠の上下方向のほぼ中心部に支持されるものである、請求項１記載の魚巣フトン籠。
【請求項３】
カゴ体の少なくとも一方の端部が接するフトン籠の金網の部分を切開して開口部とするものである、請求項１又は請求項２記載の魚巣フトン籠。
【請求項４】
開口部としない一方の端部は、金網の部分を切開して或いは切開せずに該部分の内部に石材端材等の詰石材を詰め込んで閉塞するものである、請求項１、請求項２又は請求項３記載の魚巣フトン籠。
【請求項５】
河川構造物を侵さない範囲であって常時或いは高水敷時に水に接する箇所に洞をつくるべく、フトン籠の内部に少なくともその下側面の一部を、円弧面を有する石材品で支持した状態で円筒或いは楕円筒状のカゴ体を組み込み、その一端又は両端を開口部として残余空所に詰石材を充填した魚巣フトン籠を、根固めの前方や流水域などに開口部を流れ方向と交わるように向けて設置することを特徴とする魚巣フトン籠の設置方法。
【発明の詳細な説明】
【技術分野】
【０００１】
本発明は、護岸の根固め前方や流水域などに、魚特に大型魚の非難場所や保護育成場所としての洞を形成する魚巣フトン籠の改良に関するものである。
【背景技術】
【０００２】
従来から護岸や根固工法の一種として、直方体状をした金網や竹籠の内部に栗石を充填したフトン籠を積層するフトン籠工法が行われている。フトン籠工は、コンクリート擁壁などと異なり栗石の隙間があるので透水性、変形性、防侵食性に優れるとともに小魚やえびなどの小型水棲動物の住処や隠れ家になり、また藻や水草も生えやすいため環境に優しい工法と言える。ただ、その隙間が小さいため、鯉や鮒、ハヤ、鰻の成魚など大型の魚（体長１０ｃｍ以上）の住処や隠れ家にはならなず、大水が出たような場合これら大型魚は下流に流されてしまう。またこれらは産卵場所に事欠くため、次世代が育ちにくい問題もある。特に、地域起こしの一環として錦鯉などの鑑賞魚を放流・餌づけしている場合、洪水の度に補充しなければならず当事者にとって頭の痛い問題である。
【０００３】
このような観点から、フトン籠に大型の魚が入り込める空間を形成する技術が幾つか提案されている。例えば、内部全体に詰石を充填した石詰フトン籠と詰石を充填しない中空フトン籠及び内部に石詰部と空間部を形成した混成フトン籠を様々に組み合わせて河川内に魚道を形成するもの（特開平５−３３９９２０号公報）、籠形の土留め枠本体と通路用枠体と両者間に充填された中詰石からなる護岸用止め枠（特開平１１−３６２６３号公報）、箱形状の網篭本体の内部に円筒形状の網篭を組み込み両者の間の空間に割石や自然石を充填した網篭構造体（特開平１１−１４０８４６号公報）などがある。
【０００４】
【特許文献１】特開平５−３３９９２０号公報
【特許文献２】特開平１１−３６２６３号公報
【特許文献３】特開平１１−１４０８４６号公報
【発明の開示】
【発明が解決しようとする課題】
【０００５】
これら従来技術のうち、特開平５−３３９９２０号公報に記載された発明は、魚道を作るために大きな空間を形成するもので、本発明とは関係ない。これに対し、特開平１１−３６２６３号と特開平１１−１４０８４６号の各公報に記載された発明は、本発明と同様に籠形や箱形の枠（網）本体の内部に通路用枠体（円筒形状の網篭）を組み込み、両者の間の空間に中詰石（割石や自然石）を充填し、通路用枠体や円筒形状の網篭の部分を魚の退避場所や保護育成の場所とするものである。
【０００６】
この内特開平１１−３６２６３号公報には、周囲の一部が開口した管体や網体（通路用枠体）の場合開口側を下に向けて使用すること、即ち枠本体の最下部に位置して使用することが開示されている。ところが、このような土留め枠を根固めや川底などに設置すると、折角設けた通路が泥土で埋まってしまい、魚の退避場所や保護育成の場所にならない欠点がある。
【０００７】
これに対し、同公報には周囲全体が閉塞した管体や管状の網体の場合については枠本体への組み込み位置や中詰石の詰め方などは何ら記載がない。同様に、特開平１１−１４０８４６号公報の場合も、円筒形状網篭の網篭本体への組み込み位置や中詰石の詰め方などは何ら記載がない（図では、最下部に組み込まれているが）。しかし、管状・円筒状の管体や網体の場合中詰石の詰め方特に下方からの支持の仕方が難しく、詰め方が悪いと安定を失って全体のバランスが悪くなったり、管体や網体を破損してしまうおそれがある。管体の場合は水流が滞り、魚の生育に悪い。また、図示のように最下部に組み込んだ場合、通路が泥土で埋まってしまい魚の退避場所や保護育成の場所にならない欠点もある。そのため、本発明者らが知る限り、このような管体や網体を内部に組み込んだフトン籠は使用されていない。
【課題を解決するための手段】
【０００８】
そこで本発明者らは鋭意研究した結果、フトン籠内部に組み込む円筒或いは楕円筒状カゴ体の少なくとも下側面を円弧面を有する石材品で支持することに思い至り、本発明を完成させたものである。その結果、カゴ体は安定し破損も生じない。また、カゴ体がフトン籠の底面に接することなく、フトン籠の内部好ましくは上下方向の中心部あたりに位置させることができ、前述の泥土による閉塞問題も回避される。ここに、円弧面を有する石材品とは、石材加工において平板状石材から円柱体を刳り抜いた残りの端材やその割片など、凹円弧、凹扇状の辺を持つ板状体、或いは内側を円筒状に刳り抜いた板状体そのものを意味する。
【０００９】
しかも、凹円弧面を有する石材品は、産業廃棄物としてかなり大量に産出されるので、このような有効利用ができれば、一石二鳥である。即ち、来待石やみかげ石、その他国内の多くの石材の産地では、灯籠や墓石など多くの石材製品の製造が盛んに行われているが、それに伴って排出される端材（加工屑）や粉塵、失敗作、不良石材も莫大な量に上がる。現在、これらは全て産業廃棄物として処理しなければならず、廃棄場所の確保や運送の手間など、大きな負担が石材加工業者にかかっている。
【００１０】
この端材や失敗作の中には、凹円弧面を有するものがかなり存在する。これは、直径１０〜４０ｃｍ程度の灯籠の火袋や小型灯籠その他置物などを細工する場合に、平板状石材から円筒状のカッターで刳り抜くもので、平板状石材の寸法にもよるが複数の円柱石材が簡単に得られる。そのため、柱材からの削り出しより加工コストが安くなる利点がある。そして、その残りが凹円弧面を持った端材となるが、この端材は結構嵩が高く、それだけ廃棄物の嵩が増える。本発明の実施により、これら凹円弧面を有する石材端材の廃棄量が減少する。しかも、凹円弧面を有しない石材端材も、詰石材としてフトン籠内部の残余空所に充填できるので、産業廃棄物が減るうえ、栗石などを調達する費用も不要になり石材加工業において大幅なコスト削減となる。
【００１１】
凹円弧面を有する石材端材が足りなくなれば、積極的にこれを作ることもできる。来待石の場合、土が混じったり目が荒くて製品になしえない原石が大量に産出される。これらを利用すれば放置や廃棄される原石の有効利用にもなる。
【００１２】
尚、カゴ体は下側面のみならず、その周囲全体を凹円弧面を有する石材端材で包囲することもできる。また、内側を円筒状に刳り抜いた板状体をカゴ体に嵌め込んで支持することもできる。これらにより、フトン籠内においてカゴ体の安定性が増加するし、カゴ体の隠蔽性が増すので、魚に安心感を与える。また、カゴ体が安定するので、その後の石材品の詰め込みなどの作業が迅速且つ確実に行える。更に、カゴ体は下側から石材品によって支えられるので、結果的にフトン籠底面から離れた内部に位置することになる。そして、凹円弧面石材端材の下側に板状石材品などを挿入して支え上げる寸法を調節し、フトン籠の上下方向中心部或いはその近傍位置に固定させることもできる。このようにするとバランスの良い魚巣フトン籠を得ることができる。但し、カゴ体の下側面を凹円弧面を有する石材品で支持するといっても、下側面を全面にわたって支持する必要はなく、適宜間隔をおいて支持すれば足りる。そして、凹円弧面石材品がない箇所には、三角形状の石材品などを差し込めばよい。尚、カゴ体がフトン籠の中心部など高い位置に組み込まれているので、泥土の堆積領域や川底などに設置した場合でも洞となるカゴ体内部に泥土の進入が抑えられ閉塞することがない。もっとも、本発明の魚巣フトン籠は泥土上以外に、捨て石や根固めブロックの上など泥土が進入してこない場所にも当然に使用できる。
【００１３】
ところで、護岸や根固に使用するフトン籠の場合、品質や安全性確保の観点から、４ｍｍφの溶融亜鉛めっき鉄線を使用し１３ｃｍ×２０ｃｍ程度に網上げた金網を用い、高さ0.４〜0.６ｍ、幅（奥行き）1.２ｍ、長さ２ｍ以上の大きさに作るように決められている（国土交通省の規格）。規格品の場合１０年或いはそれ以上もつといわれている。フトン籠の各面は８ｍｍφの溶融亜鉛めっき鉄筋で縁取り補強された縁付き金網で構成されており、底面、両側面及び前後面の縁付き金網を縁部で連結した後詰石材を充填し上面縁付き金網をそれぞれ連結することによってフトン籠の組み立てが完成する。組み立ては、据え付け現場で行う。そのため、水に漬かる箇所では川をせき止めて組み立てする。
【００１４】
本発明の魚巣フトン籠もこの寸法、構造に準拠している。次に、魚巣フトン籠の内部に組み込むカゴ体について説明する。カゴ体としては、８ｍｍφ以上の径の鉄筋をスパイラル状に曲げた螺旋状鉄筋、該螺旋状鉄筋の周囲に数本の鉄筋を溶接したカゴ鉄筋や、スパイラルの代わりに複数のリング状鉄筋の周囲に数本の鉄筋を溶接したカゴ鉄筋、細幅のリング状鉄板の周囲に数本の鉄筋を溶接しその上から金網を被せた網籠などが用いられる。加工のし易さや強度の点から、螺旋状鉄筋を用いたカゴ鉄筋が好ましい。その形状は、耐圧力の関係で円筒状が好ましいが、幾分偏平な楕円筒状のものでもよい。
【００１５】
カゴ体の径は、１５〜３５ｃｍ程度とする。１５ｃｍよりも小さいと大きな魚の出入りができず、３５ｃｍより大きいとフトン籠の高さが４０〜６０ｃｍであるところから、その上下を覆う詰石材の層の厚みが少なくなり、洞（ウロ）として好ましくない。より好ましくは２０〜３０ｃｍ程度である。カゴ体の長さは、その両端がフトン籠の両側面や前後面に当接する寸法とする。
【００１６】
カゴ体のフトン籠内部への組み込みは、以下のように行う。まず、各面の縁付き金網を展開状に連結し、底面金網上にカゴ体を配置しその下側面を前記の凹円弧面を有する石材品で支える。カゴ体の底面金網からの高さを１０〜２０ｃｍ、好ましくは１2.５〜１５ｃｍ程度とすると、フトン籠の厚みやカゴ体の径にもよるがカゴ体はフトン籠厚み（上下）方向のほぼ中心部にくる。この時、カゴ体の上方に１０〜２０ｃｍ程度の石材品を詰める空間が生じる。カゴ体はフトン籠の幅方向或いは長さ方向のいずれかに組み込む。組み込むカゴ体の本数は長さ方向の場合１〜２本程度、幅方向の場合はフトン籠の長さ１ｍ当たり１〜２本程度が可能である。
【００１７】
次いで、両側面及び前後面の縁付き金網を箱形に組み上げ、フトン籠内部の残余空所に石材端材等の詰石材を充填する。この場合、カゴ体の上面や上側面は凹円弧面石材端材や三角形状の石材端材で包み込むようにするとカゴ体内部の隠蔽度が増す。詰石材としては、石材端材を用いると表面がザラザラしているため苔や水草が繁茂し易い。特に、来待石の場合この傾向が強い。また石材端材は廃棄に費用がかかるので、その節約にもなる。しかし、詰石材としてはこれに限ることなく栗石なども使用できる。最後に上面縁付き金網をそれぞれ連結して魚巣フトン籠が完成する。
【００１８】
前記残余空所への詰石材詰め込みの前後において、カゴ体の両端部を金網に連結して固定する。開口部とする場合、切開した金網の一部をこの連結に利用してもよい。一般に、フトン籠は据え付け現場での組み立てになるが、両端が開口している本発明の魚巣フトン籠の場合、カゴ体に鉄棒等を挿入しこれを吊り上げることによって移動が可能なため、作業性のよい川岸などで組み立てたのち据え付け場所へ移動することでができる。一端部のみが開口している場合、この方法は取れない。尚、開口しない端部側には石材品を詰め込んで閉塞させる。
【００１９】
次に、本発明の魚巣フトン籠の設置方法について説明する。フトン籠は護岸や根固などの河川構造物要素として認められている。その場合、１ｍ3 あたり1.８ｔｏｎ程度の重量が必要と定められている。これ以上軽いと洪水時などの水流に耐えないとの知見による。ところが、本発明の魚巣フトン籠の場合、カゴ体内部が空であるため、1.５ｔｏｎ程度にしかならない。従って、現状では河川構造物に使用することは認められない。
【００２０】
そこで、河川構造物である護岸ブロックやフトン籠、蛇かご或いは根固のフトン籠とは別に、根固めの上やその前方にある堆積領域や流水域（川底）などに設置するしか方法がない。或いは、許されるのであれば、根固めフトン籠を二段にしその下側に組み込むことなどが考えられる。そのため、カゴ体内部に泥土が入り込まない本発明の構成が重要な意味を持つ。また、魚巣フトン籠を魚の棲息場所とするためであれば、常時カゴ体が水没する箇所に設置するが、洪水時の避難場所とするためであれば、高水敷と低水敷の間でカゴ体が水没する箇所に設置する。設置は、カゴ体の開口部が水の流れと交わる方向（好ましくは直交）を向くように行う。即ち、カゴ体をフトン籠の長さ方向に組み込んだ場合は、フトン籠の長い方を川の中心に向けて設置し、フトン籠の幅（奥行き）方向に組み込んだ場合は、フトン籠の短い方を川の中心に向けて設置する。
【発明の効果】
【００２１】
以上詳述したように、本発明の魚巣フトン籠は、フトン籠を横或いは縦方向に貫通するように円筒或いは楕円筒状のカゴ体その内部に組み込み、該カゴ体の下側面から凹円弧面を有する石材品で支持し、且つフトン籠内部の残余空所に石材端材等の詰石材を充填したものである。
【００２２】
従って、本発明は護岸や根固め前方や流水域などに設置されて大型魚の住処や避難場所となる大きな洞を提供すると言う効果に加えて、以下に述べるような特有な優れた効果を有する。
（１）フトン籠内部に組み込むカゴ体は下側面を凹円弧面を有する石材品で支持されているので、カゴ体は安定し破損も生じない。それ故、迅速確実な魚巣フトン籠の組み立てが可能となる。また、カゴ体はフトン籠底面よりも高い位置に支持されるので、泥土による閉塞を生じない。
（２）カゴ体の周囲全体少なくとも上面や上側面を凹円弧面石材品や三角形状の石材品で包み込むことにより、カゴ体内部の隠蔽度が増し魚に安心感を与える。
（３）石材端材を用いると表面がザラザラしているため苔や水草が繁茂し易い。特に、来待石の場合この傾向が強い。
（４）凹円弧面を有する石材品を始め石材端材は産業廃棄物であり、これをフトン籠の詰石材として有効利用することは産業上極めて有意義である。
（５）不良な原石から積極的に凹円弧面を有する石材品を製造することにより、放置や廃棄される原石の有効利用になる。
（６）産業廃棄物を使用するので、極めて安価に得られる利点がある。
【発明を実施するための最良の形態】
【００２３】
直方体状のフトン籠の内部に、長さ方向に貫通するカゴ鉄筋を配置し該カゴ鉄筋はその下側面を凹円弧面を有する石材品で支持され、カゴ鉄筋の両端部を開口して大型魚の出入口とする。
【実施例１】
【００２４】
以下、本発明を図面に基づいて詳細に説明する。図１は、本発明の魚巣フトン籠の一例を示す。この魚巣フトン籠１は、底面２ａ、左側面２ｂ、右側面２ｃ、前面２ｄ、後面２ｅ及び上面２ｆの各縁付き金網で構成される直方体状のフトン籠２の内部に円筒状のカゴ鉄筋３を２本配置し、その周囲に石材品４を詰め込んだものである。手前側のカゴ鉄筋３の下側面は、凹円弧面を有する石材端材４ａや三角状石材端材４ｂで主に支えられている。また、石材端材４ａや４ｂの下側には、カゴ鉄筋３の高さを出すために、平板状石材端材４ｃや角状石材端材４ｄが置かれている。もう一方のカゴ鉄筋３は端部部分に、内側を円筒状に刳り抜いた板状体４ｅを嵌め込んで支持している。尚、この魚巣フトン籠１は、長さが２ｍ、幅（奥行き）が1.２ｍ、高さが６０ｃｍ、カゴ鉄筋３の径が２５ｃｍである。また、カゴ鉄筋３の上下の石材品層の寸法はそれぞれ１7.５ｃｍずつである。
【００２５】
魚巣フトン籠１の作り方は、まず、予め各縁付き金網が連結されているものを展開し底面金網２ａ上のカゴ鉄筋３を置くべき位置に平板状石材端材４ｃで高さをだし、次いでカゴ鉄筋３を配置してその下側面を凹円弧面を有する石材端材４ａや三角状石材端材４ｂで支える。次いで、両側面金網２ｂ、２ｃ及び前後面金網２ｄ、２ｅを箱形に連結し、フトン籠２内部でカゴ鉄筋３の外側残余空所に収まり良く種々な形の石材端材を充填する。この場合、カゴ鉄筋３の上面や上側面はできるだけ凹円弧面石材端材４ａや三角状石材端材４ｂを配置する。
【００２６】
次いで、上面金網２ｆを両側面金網２ｂ、２ｃと前後面金網２ｄ、２ｅに連結する。最後に、カゴ鉄筋３の両端部３ａ、３ｂが接する両側面金網２ｂ、２ｃ部分の亜鉛めっき鉄線５を切開し、図示は省略するがカゴ鉄筋３に連結固定する。これで、両端に開口部６を２つずつ備えた魚巣フトン籠１が完成する。この魚巣フトン籠１は、カゴ鉄筋３内部に鉄棒を挿入して吊り上げ、所定の箇所に移動設置することができる。尚、開口部６を一端部のみとする場合、反対側には石材品を詰め込んで閉塞する。
【００２７】
図２は、カゴ鉄筋３の一例を示す斜視図である。このカゴ鉄筋３は、８ｍｍφの太さの鉄筋を曲げた螺旋状鉄筋３１の周囲に、同じ太さの鉄筋３２を４本溶接したものである。スパイラルの間隔は、約１３ｃｍである。尚、カゴ鉄筋３は亜鉛どぶ漬け処理を施した。
【実施例２】
【００２８】
図３は、この魚巣フトン籠１の施工図の一例を示す。魚巣フトン籠１は、河川構造物１０である護岸ブロック１１とコンクリート製根固め１２の部分ではなく、根固め１２の前方に、長さ方向を川の流れに向けて設置する。魚巣フトン籠１の上の段には、押さえとして従来型フトン籠１３を載置する。水面ＷＬは魚巣フトン籠１よりも上にあるので、カゴ鉄筋３からなる洞（ウロ）７は常時水中に開口しており、大型魚の棲息や避難場所、繁殖場所となる。同様に、川底１４に設置した魚巣フトン籠１も大型魚の棲息や避難場所、繁殖場所となる。
【実施例３】
【００２９】
図４は、魚巣フトン籠１を河川の堆積領域１５に設置した他の例を示すもので、図４（ａ）は平面図、図４（ｂ）は図４（ａ）におけるＸ−Ｘ線断面図である。この場合も、魚巣フトン籠１は水面ＷＬより下位にあるので、洞（ウロ）７は常時水中に開口しており、大型魚の棲息や避難場所、繁殖場所となる。
【実施例４】
【００３０】
図５は、魚巣フトン籠１を根固めブロック１６の上に設置した例を示す。この場合、魚巣フトン籠１は高水域ＷＬ１と低水域ＷＬ２の間に位置しているので、常時は水面上にでており、洪水時に水面下に沈没する。そのため、この場合の洞８は大型魚の避難場所として機能する。
【図面の簡単な説明】
【００３１】
【図１】本発明魚巣フトン籠の一例を示す斜視図である。（実施例１）
【図２】カゴ鉄筋の一例を示す斜視図である。（実施例１）
【図３】本発明魚巣フトン籠の施工図の一例を示す河川横断図である。（実施例２）
【図４】本発明魚巣フトン籠の施工図の他の例を示すもので、（ａ）は平面図、（ｂ）は（ａ）におけるＸ−Ｘ線断面図である。（実施例３）
【図５】本発明魚巣フトン籠の施工図の更に異なる例を示す河川横断図である。（実施例４）
【符号の説明】
【００３２】
１    魚巣フトン籠
２    フトン籠
３    カゴ鉄筋
３１  螺旋状鉄筋
３２  鉄筋
４ａ  凹円弧面石材端材
７    洞
８    洞
１０    河川構造物
１３    従来型フトン籠
【図１】
2005146661.tif 000003
【図２】
2005146661.tif 000004
【図３】
2005146661.tif 000005
【図４】
2005146661.tif 000006
【図５】
2005146661.tif 000007